(57)【特許請求の範囲】
【請求項１】
デッドボルトを兼ねるラッチボルトのリトラクターの基部に結合され、錠箱内において回動自在に支承されると共に、横断面非円形の内孔を形成した短筒状のリトラクター軸と、扉内面の自由側端縁部に装着され、回動軸をリトラクター軸と同軸にして回動自在に支承された室内側操作部材と、扉外面の自由側端縁部に装着され、回動軸をリトラクターと同軸にして回動自在に支承された室外側操作部材と、リトラクター軸及び室内側操作部材を相互に連結する杆体であって、その室外側端部をリトラクター軸の内孔に嵌挿した状態で、長さ方向には移動可能であるが、リトラクター軸及び室内側操作部材に対する相対回動を拘束されるように案内された第１操作杆と、この第１操作杆の錠箱外における部分に突設された係合突起と、リトラクター軸及び室外側操作部材を相互に連結する杆体であって、その室内側の端部に、内側から順に、リトラクター軸の内孔に内接する丸棒より太くない円形断面部、及びリトラクター軸の内孔と相対回動は拘束されるが摺動可能に嵌合し得る異形断面部を連設すると共に、その室内側端部をリトラクター軸の内孔に嵌挿した状態で、長さ方向には移動可能であるが、室外側操作部材に対する相対回動を拘束されるように案内された第２操作杆と、この第２操作杆を室内側に移動する方向に付勢するばね部材と、上記第１操作杆の係合突起の近傍において扉面に平行な平面内で移動可能に案内され、係合突起に室内側から係合可能な傾斜面を形成した駆動カム体と、扉内面に突設された操作摘みと、操作摘みの動きを駆動カム体に伝達し、その傾斜面を係合突起から遠ざける方向、及び係合突起と係合する方向に選択的に移動させる連係機構とを有し、自動施錠型の錠前に切替えるとき、駆動カム体の傾斜面により係合突起と一体の第１操作杆及びこれと当接する第２操作杆を室外側に移動させ、第２操作杆の異形断面部をリトラクター軸の内孔から抜き外すようにしたことを特徴とする自動施錠型錠前における作動モード切替装置。
【発明の詳細な説明】
【０００１】
【発明の属する技術分野】
この発明は、自動施錠型錠前における作動モード切替装置（以下単に切替装置という）に係り、特に、簡単な操作で自動施錠型錠前を空錠にすることができる切替装置に関する。
【０００２】
【従来の技術】
例えばホテルの客室や企業の研究所の扉口等に用いられる錠前は、安全性を向上させるために、所謂自動施錠型の錠前が採用されている場合が多い。
【０００３】
この自動施錠型の錠前は、その一例を後述するが、閉扉時ラッチボルトが扉枠のストライク孔に投入されると、そのラッチボルトを突出位置に固定する部材が自動的に作動し、閉扉後合鍵により錠前を施錠しなくとも扉の施錠をすることができる。
【０００４】
しかして、この自動施錠型の錠前を例えば研究所の扉口、或いは金融機関の従業員の出入り口等に装着した場合、人の出入りの少ない日中は良いが、出退社時等人の出入りの多い朝夕には、人の出入り毎に合鍵や電気錠の暗証符号入力盤の操作をしなければならず煩わしい。
【０００５】
そこで、自動施錠のラッチボルトを一時的に錠箱内に没入した状態に保持し、これを空錠とするラッチボルトの係止装置が提案され、かつ実用されている。
【０００６】
このラッチボルトの係止装置は、例えば、室内側のハンドルやノブを操作してラッチボルトを錠箱内に引込めた状態で扉を開け、扉の自由側端縁に露出した制御杆を例えばドライバー等で操作することによりラッチボルトを係止する（図示せず）。
【０００７】
【発明が解決しようとする課題】
上記したラッチボルトの係止装置は勿論その所期の機能を発揮し実用されているが、係止装置を作動させるため一旦扉を開けて制御杆を露出させ、しかもドライバー等を捜して扉口まで持っていかなくてはならないので、やや操作が面倒である、という恨みが残る。
【０００８】
また、ラッチボルトを錠箱内に引込めてしまうので、この錠前を外部空間に通じる扉口に装着した場合、クローザで扉に押し付けられている扉が風に煽られて開いてしまうことがある、という不都合もある。
【０００９】
そこで、この発明は、扉を閉めた状態で手指で操作でき、勿論ドライバー等を使用しなくてもよい操作の簡単な切替装置を提供することを目的としている。
【００１０】
また、この発明の他の目的は、空錠の状態でもラッチボルトを扉枠に係止しておくことができ、扉が風に煽られても扉が開くことがない切替装置を提供するにある。
【００１１】
【課題を解決するための手段】
上記の目的を達成するため、この発明は、デッドボルトを兼ねるラッチボルトのリトラクターの基部に結合され、錠箱内において回動自在に支承されると共に、横断面非円形の内孔を形成した短筒状のリトラクター軸と、扉内面の自由側端縁部に装着され、回動軸をリトラクター軸と同軸にして回動自在に支承された室内側操作部材と、扉外面の自由側端縁部に装着され、回動軸をリトラクターと同軸にして回動自在に支承された室外側操作部材と、リトラクター軸及び室内側操作部材を相互に連結する杆体であって、その室外側端部をリトラクター軸の内孔に嵌挿した状態で、長さ方向には移動可能であるが、リトラクター軸及び室内側操作部材に対する相対回動を拘束されるように案内された第１操作杆と、この第１操作杆の錠箱外における部分に突設された係合突起と、リトラクター軸及び室外側操作部材を相互に連結する杆体であって、その室内側の端部に、内側から順に、リトラクター軸の内孔に内接する丸棒より太くない円形断面部、及びリトラクター軸の内孔と相対回動は拘束されるが摺動可能に嵌合し得る異形断面部を連設すると共に、その室内側端部をリトラクター軸の内孔に嵌挿した状態で、長さ方向には移動可能であるが、室外側操作部材に対する相対回動を拘束されるように案内された第２操作杆と、この第２操作杆を室内側に移動する方向に付勢するばね部材と、上記第１操作杆の係合突起の近傍において扉面に平行な平面内で移動可能に案内され、係合突起に室内側から係合可能な傾斜面を形成した駆動カム体と、扉内面に突設された操作摘みと、操作摘みの動きを駆動カム体に伝達し、その傾斜面を係合突起から遠ざける方向、及び係合突起と係合する方向に選択的に移動させる連係機構とを有し、自動施錠型の錠前に切替えるとき、駆動カム体の傾斜面により係合突起と一体の第１操作杆及びこれと当接する第２操作杆を室外側に移動させ、第２操作杆の異形断面部をリトラクター軸の内孔から抜き外すようにしたことを特徴とする。
【００１２】
【発明の実施の形態】
以下この発明の実施例を図面を参照して説明する。
図１において符号１は扉を、符号２及び３は外側及び内側エスカチオンを夫々示し、これら外側及び内側エスカチオン２、３の間における扉１内に自動施錠の錠前の錠箱４（図３参照）が装着される。
【００１３】
自動施錠の錠箱の構造は周知であり、加えて本発明の要旨ではないが、念の為その構造の一例を図３に示すと、シリンダ錠の内筒及び／又はサムターン軸に連結された制御カム５の外周部にセクターギア６が形成されている。
【００１４】
このセクターギア６は、前後方向に移動可能に案内され、前方に向かう方向に付勢された解錠ボード７の一部に形成されたラックと噛み合っており、また、この解錠ボード７に植設された解錠ピン８が係止レバー９の傾斜部に前方から当接している。
【００１５】
上記した構成により、例えば合鍵により制御カム５を図３で反時計方向に回すと、解錠ピン８が後方に移動するので係止レバー９が時計方向に回動してラッチボルトの係止を解く。
【００１６】
更に合鍵により制御カム５を反時計方向に回すと、解錠ボード７が連結片１２を介してラッチボード１３を後方に移動させるので、ラッチボード１３に搭載されたラッチボルト１１が錠箱４内に没入する。
【００１７】
また、通常は室内側にのみ装着されるハンドル等の室内側操作部材の角軸がリトラクター軸１４の異形の内孔に嵌挿された状態で固定され、このようにして室内側操作部材１５（図１参照）とリトラクター１６とが相互に連結される。
【００１８】
したがって、室内側操作部材を操作してリトラクター１６を図３で時計方向に回動させれば、リトラクター１６の先端がラッチボード１３の後端に係合してこれを内方に引込めるので、連結片１２を介して解錠ボード７も後方に移動し、上記したようにして解錠及びラッチボルト１１の錠箱内への没入操作が行われる。
【００１９】
図面を明瞭にするため錠箱及びその内部機構を省略して示す図１に戻って、符号１４はリトラクター軸を示し、このリトラクター軸１４は、デッドボルトを兼ねるラッチボルトのリトラクター１６（図３参照）の基部に結合された短筒体で、錠箱内において回動自在に支承されている。
【００２０】
このリトラクター軸１４には横断面非円形の内孔１７（図６参照）が形成されている。図６に示す内孔１７は横断面正方形であるが、例えば図３に示すように、円形孔にブローチ盤で４条のＶ字溝を母線に沿って形成したものであってもよい。
【００２１】
一方、扉内面の自由側端縁部分には、図１に示すように、ハンドルとしての室内側操作部材１５が回動軸をリトラクター軸１４のそれと同軸にして回動可能に装着されている。
【００２２】
図示の実施例では、室内側操作部材１５の基部を内側エスカチオン３の内面側に一体に形成した短筒状の軸受け部に回動自在に嵌合させ、軸受け部より内側に突出した部分にワッシャーを介して止め輪１８を嵌装して固定している。
【００２３】
他方、扉外面の自由側端縁部分には、図１に示すように、ハンドルとしての室外側操作部材１９が回動軸をリトラクター軸１４のそれと同軸にして回動可能に装着されている。
【００２４】
この室外側操作部材１９の外側エスカチオン２への取付は、室内側操作部材１５のそれと同様であるから、更に詳細な説明は省略する。
【００２５】
上記リトラクター軸１４と室内側操作部材１５とは、横断面正方形の角棒状の第１操作杆２１によって相互に連結されている。
【００２６】
すなわち、第１操作杆２１の室外側の端部（図１で左端部）は、横断面同形のリトラクター軸１４の内孔に嵌挿され、第１操作杆２１の室内側の端部は、室内側操作杆１５の基部に形成された横断面正方形の受け孔（付番せず）に摺動可能に嵌合している。
【００２７】
上記した構成により、第１操作杆２１は、リトラクター軸１４及び室内側操作部材１５に対して相対回動はできないが、その長さ方向には移動できるように案内されることになる。
【００２８】
換言すれば、室内側操作部材１５とリトラクター軸１４とは、第１操作杆２１を介して、回動方向において一体的に連結されている。
【００２９】
この第１操作杆２１の錠箱４外における部分には、図１及び図２に示すように、これを水平方向に貫通するように打込まれた細い棒としての係合突起２１ａが突設されている。
【００３０】
一方、上記リトラクター軸１４と室外側操作部材１９とは、横断面正方形の角棒状の第２操作杆２２によって相互に連結されている。
【００３１】
この第２操作杆２２の室内側の端部（図１において右端部）には、リトラクター軸１４の内孔に内接する丸棒より太くない円形断面部２２ａが形成されている。
【００３２】
ここに内孔に丸棒が内接する、とは、丸棒の横断面形である円が内孔の横断面形である例えば正方形に内接する、という意味である。
【００３３】
そして、第２操作杆２２の室内側の端部（図１で右端部）は、横断面同形のリトラクター軸１４の内孔に嵌挿され、第２操作杆２２の室外側の端部は、室外側操作杆１９の基部に形成された横断面正方形の受け孔（付番せず）に摺動可能に嵌合している。
【００３４】
上記した構成により、第２操作杆２２は、図１に示すように円形断面部２２ａに連なる横断面正方形部（異形断面部２２ｂ）がリトラクター軸１４の内孔１７と嵌合しているときには、リトラクター軸１４及び室外側操作部材１９に対して相対回動はできないが、その長さ方向には移動できるように案内されることになる。
【００３５】
換言すれば、室外側操作部材１９とリトラクター軸１４とは、第２操作杆２２を介して、回動方向において一体的に連結されている。
【００３６】
また、室外側操作部材１９の基部に形成された角孔の奥、換言すれば図１における左端部には、圧縮コイルばねとしてのばね部材２３が弾装されており、このばね部材２３の弾力により、室外側及び室内側操作部材１９、１５は、室内側に移動する方向に付勢されている。
【００３７】
他方、図１及び図２に示すように、上記第１操作杆の係合突起２１ａの近傍における内側エスカチオン３の内面側には、扉面と平行な板状の駆動カム体２４が上下方向に移動可能に案内されている。
【００３８】
この駆動カム体２４は、断面コ字形に折曲された矩形の本体部と、この本体部の下端に形成された二股状の傾斜面とを有し、図では鎖線で示すカバー板２６及び一対の案内支柱２７、２７等に案内されて、上下方向に移動可能になっている。
【００３９】
この駆動カム体２４を室内側から動かすため、内側エスカチオン３の外面（室内側の面）には操作摘み２８（図１にのみ表示）が回動自在に装着されている。
【００４０】
そして、この操作摘み２８の動きを上記駆動カム体２４とに伝達するため、連係機構２９が設けられている。
【００４１】
図示の実施例における連係機構２９は、操作摘み２９に一体的に連結された全体の形状が略Ｌ字形の駆動レバー３１を有し、この駆動レバー３１はその中心部を操作摘みの回動軸と同軸にして操作摘みに結合されている。
【００４２】
上記駆動レバーの一端には駆動ピン３２が植設されており、この駆動ピン３２は、駆動カム体２４の本体部に開口している略横向き凸字形の従動孔３３（図２参照）に遊嵌している。
【００４３】
また、駆動レバー３１の他端には、図２及び図６に示すように、ばね杆３４の一端が回動可能に結合されており、このばね杆３４の他端部は、内側エスカチオン３に取付けられた水平な支持板３５のスリットに遊嵌している。
【００４４】
更にまた、上記ばね杆３４には、圧縮コイルばねとしての付勢ばね３６が巻装されている。
【００４５】
上記したばね杆３４、支持板３５及び付勢ばね３６等からなるばね装置は、ばね杆３４が図２で鉛直になる角度位置が思案位置となる、思案位置を有するばね装置（以下単にばね装置という）３８（図２参照）を構成する。
【００４６】
なお、図１において符号３７はシリンダー錠収納洞を示す。
【００４７】
上記のように構成されたこの発明の一実施例による切替装置は、この発明が適用される錠前を空錠にするとき、図１及び図２に示すように、駆動カム体２４を第１操作杆の係合突起２１ａから離間する方向に操作摘み２８を回す。
【００４８】
図１、２に示す状態では、室外側操作部材１９に弾装されたばね部材２３が第１及び第２操作杆１５、１９を室内側に移動させているから、第２操作杆２２の室内側のたんぶにおける異形断面部２２ｂがリトラクター軸１４の内孔に嵌合している。
【００４９】
この状態では、室外側操作部材１９は錠箱内のリトラクター１６（図３参照）にリトラクター軸１４を介して連結されている。
【００５０】
そして、この状態は、上記したばね装置３８（図２参照）の弾力により、準安定的に保持される。
【００５１】
前記したように、通常は室内側操作部材にしか連結されていない自動施錠型の錠前のリトラクターは、これを操作すれば錠前が自動的に解錠されるようになっているから、室外側操作部材１９を回せば何時でもこの錠前は解錠され、換言すればこの錠前は空錠となる。
【００５２】
一方、この錠前を自動施錠型の錠前に戻すには、操作摘み２８（図１参照）を操作して、駆動レバー３１を図２で時計方向に回動させる。
【００５３】
すると、ばね装置３８の呈する弾力に抗して、摘み２８と一体の駆動レバー３１が図２において時計方向に回動し始める。
【００５４】
その回動の初期においては、手指の力はばね装置の付勢ばね３６を押し縮める方向に作用し、ばね杆３４の他端部を支持板３５のスリットに押込みつつ、駆動レバー３１を時計方向に回動するように駆動する。
【００５５】
ばね杆３４がほぼ鉛直になる思案位置を過ぎると、今度は付勢ばね３６の弾力により駆動レバー３１が急激に時計方向に回動し、図４及び図５に示すように、その駆動ピン３２が駆動カム体２４を押し下げる。
【００５６】
すると、その駆動カム体２４の下端の傾斜面２５が室内側から第１操作杆の係合突起２１ａに係合し、楔作用によりこれを室外側に押動する。
【００５７】
その結果、図４に示すように、第２操作杆１９の異形断面部２２ａがリトラクター軸１４の内孔から抜き外れる。
【００５８】
また、この状態は、図５から明らかなように、ばね装置３８の弾力により準安定的に保持される。
【００５９】
この状態では、図６に示すように、リトラクター軸１４の内孔と嵌合しているのはこれに内接する第２操作杆の円形断面部２２ａのみであるから、室外側操作杆１９を外側から操作しても空回りするばかりでリトラクター軸１４は動かず、この錠前は施錠状態となる。
【００６０】
この錠前を解錠するには、シリンダー錠を合鍵により解錠して、錠箱内の制御カム５（図３参照）を動かす他はない。
【００６１】
なお、この発明を実施するにあたっては、図示の実施例に限らず、種々に変形して実施することができる。
【００６２】
例えば、第１操作杆２１と室内側操作部材１５、或いは第２操作杆２２と室外側操作部材１９の係合は、必ずしも異形軸と異形孔の嵌合により行う必要はなく、丸棒と円形断面の筒体の嵌合に、例えばスリットとピンの係合による回り止めを施すようにしてもよい（図示せず）。
【００６３】
また、操作摘み２８と駆動カム体２４との間の連係機構は、前者に装着したピニオン、及び後者の側端縁に形成したラックとの噛み合い装置に、クリック装置を付加して構成できる（図示せず）。
【００６４】
更にまた、操作摘み２８の操作軸を内側エスカチオン３に形成した縦長のスリットを通して直接駆動カム体２４に結合し、操作摘み２８の回転ではなく上下方向の動きにより駆動カム体２４を動かすようにしてもよい（図示せず）。
【００６５】
【発明の効果】
以上の説明から明らかなように、この発明は、外側操作部材をリトラクター軸に選択的に接続し、或いは切離すようにしたから、自動施錠型の錠前を空錠に切替える、という初期の目的を達成している。
【００６６】
また、ラッチボルトを錠箱内に引込めるのではなく、空錠状態においてもラッチボルトを扉枠のストライク孔に係止するようにしてあるので、扉が風で煽られても扉が開いてしまうことが無い、等種々の効果を奏する。
【図面の簡単な説明】
【図１】この発明の一実施例による切替装置の縦断側面図で、自動施錠状態を示す。
【図２】図１のＩＩ−ＩＩ線から見た連係機構の正面図で、自動施錠状態を示す。
【図３】自動施錠機構を有する錠箱の一例を示す一部断面側面図。
【図４】図１と同様の切替装置の縦断側面図で、空錠状態を示す。
【図５】図２と同様の連係機構の正面図で、空錠状態を示す。
【図６】図４のＶＩ−ＶＩ線による断面図。
【符号の説明】
１４  リトラクター軸
１５  室内側操作部材
１７  内孔
１９  室外側操作部材
２１  第１操作杆
２１ａ  係合突起
２２  第２操作杆
２２ａ  円形断面部
２２ｂ  異形断面部
２３  ばね部材
２４  駆動カム体
２５  傾斜面
２８  操作摘み
２９  連係機構
【図１】
0003844810.tif 000002
【図２】
0003844810.tif 000003
【図３】
0003844810.tif 000004
【図４】
0003844810.tif 000005
【図５】
0003844810.tif 000006
【図６】
0003844810.tif 000007